(57)【要約】【課題】  内鉢と外鉢とからなる二重構造の植木鉢に係わる。詳細には、植物を植える内側の鉢を透明にして植物が根を張る様子と水やりの程度がわかる作りで、かつ上方から光が入り込まないよう鉢内部を完全に遮光し、それを覆う外側の鉢を完全に遮光することで、鉢の内面に苔などの発生を抑制するとともに根に光を当てる事無く植物に最適な環境で育てることができる、内鉢と外鉢とからなる二重構造の植木鉢に係わる。【解決手段】  内鉢１１と内鉢１１の外側に設置される外鉢２１の二重構造からなり、内鉢１１は透明かつ上方を遮光するとともに、外鉢２１は完全に遮光する色もしくは素材にした鉢。【選択図】図１
2019037200.tif 000002
【特許請求の範囲】
【請求項１】
内鉢と内鉢の外側に設置される外鉢の二重構造からなり、内鉢は透明かつ上方を遮光するとともに、外鉢は遮光する色もしくは素材にした鉢。
【請求項２】
外鉢は完全に遮光する色もしくは素材にした鉢
【請求項３】
遮光性の植木鉢の側面に設けられた、透明な素材からなり内容物が見えるように設けられ、開閉可能な扉により開閉される窓を有する鉢。
【請求項４】
内鉢と内鉢の外側に設置される外鉢の二重構造からなり、内鉢は透明かつ上方を遮光するとともに、外鉢は完全に遮光する色もしくは素材にされ、遮光性の植木鉢の側面に設けられた、透明な素材からなり内容物が見えるように設けられ、開閉可能な扉により開閉される窓を有する鉢。
【発明の詳細な説明】
【技術分野】
【０００１】
本発明は、植木鉢に係る。
詳細には、内鉢と外鉢とからなる二重構造の植木鉢に係る。更に詳細には、植物を植える内側の鉢を透明にして植物が根を張る様子と水やりの程度がわかる作りで、かつ上方から光が入り込まないよう鉢内部を完全に遮光し、それを覆う外側の鉢を完全に遮光することで、鉢の内面に苔などの発生を抑制するとともに根に光を当てる事無く植物に最適な環境で育てることができる植木鉢に係わる。
【背景技術】
【０００２】
一般的な植木鉢は植物の根の方までは見えない構造である。それ故植物の根の状態や水分の行き渡り加減を確認することが困難であった。
ガラスの透明なコップに植物を植えるというアイディアがある。これは一見見た目がよい。しかし使い続けるとすぐに内側に苔が発生し中が見えなくなり、鉢全体の見た目が悪くなる。更には鉢の使用自体出来なくなる。
【０００３】
特許文献１（特開平５−２９２８３９号）「植木鉢」は、「植物の発育に何ら支障をもたらすことなく、必要時に根の発育状況及び土の状態を観察することができる」とされ、「不透明外鉢１０の中に透明中鉢２０を抜き差し自在に組み込んでなる。必要時に、中鉢２０を外鉢１０より引き出すことにより中鉢内の植物の根の発育状況及び土の状況を容易に観察することができる。」とされる。
【０００４】
特許文献２（特開２００４−８１０８９号）「透明鉢側面をシート遮光した植木鉢」は、「簡単な構造で且つ鉢内の植物の根を特に傷めることなく土床の給水状況や根回り状況を自由に観察でき、水遣りが容易で且つ水漏れが無く鉢受皿の要らない便利な植木鉢。」とされ、「透視性の鉢側壁（１ｂ）に覗窓を設けた遮光性のシート（２）を装着する。鉢縁（１ａ）に開口する排水口（３ａ）の付いた排水管壁（３）を鉢側壁（１ｂ）の一部と鉢底部（１ｃ）の一部に沿えて空洞を形成し、土収納部に収容する。」とされる。
【０００５】
特許文献３（特開平９−１９１７７０号）「二重植木鉢」は、「従来の二重植木鉢、内装体の側面からも水が供給されるため、内鉢体内の土全体の保水量が上がってしまい、植物の根腐れがおこりやすかった。本発明は、長期にわたって給水の手間を省くことができ、かつ、内鉢体内の土全体の保水量が上がってしまうことがない二重植木鉢」とされ、「本二重植木鉢は、側面の少なくとも一部は、上部から下部にかけて透明な部分を備える外鉢体２と、該外鉢体２内に隙間をもって収容され、且つ脚部１２を有する内鉢体１と、該内鉢体１と該外鉢体２により構成される隙間部Ｉの開口を覆う蓋部３と、からなり、該蓋部３は、蝶番又は屈曲部を有す、開閉可能であって、上記隙間部への開口となる開閉部を具備し、上記内鉢体１の底部には直径が０．５〜３ｍｍの複数の給水口（約０．２〜０．３個／ｃｍ2 ）１１を有し、上記外鉢体２と上記内鉢体１により構成される隙間部Ｉが給水室となっている。」とされる。
【０００６】
特許文献４（特開２００４−３３１７５号）「遮光カバー付透明植木鉢」は、「植物の根の生長と増殖を外部から観察しながら、その生育管理を的確に行うことができるようにする。」とされ、「植物の根の生育を可能にする植木鉢を透明な材料で作り、この植木鉢の外側面を着脱可能な遮光カバーで被覆できるようにした。」とされる。
【先行技術文献】
【特許文献】
【０００７】
【特許文献１】特開平５−２９２８３９号公報
【特許文献２】特開２００４−８１０８９号広報
【特許文献３】特開平９−１９１７７０号公報
【特許文献４】特開２００４−３３１７５号公報
【発明の概要】
【発明が解決しようとする課題】
【０００８】
従来の植木鉢は土の下が見えない。そのため土質の違いで水の浸み込み具合がわからず土の表面だけ見て水分の有無を判断し、水やりを行っていた。そうすると土の表面が乾いていても実際にはまだ下の方の土に十分水が蓄えられ、追加して水をやらなくてよい段階でも水をあげてしまい、根腐れを引き起こしてしまうというような事象が起きている。
【０００９】
腰水を必要とする場合受け皿に溜めるが、溜めた水に苔が発生し見た目が良くない。また、溜めた水にはボウフラなどの昆虫類が発生し環境に良くない。
透明な鉢のみで植物を育てた場合鉢の内面に苔が発生し内側が見えづらいうえ、見た目が良くない。
【００１０】
特許文献１「植木鉢」、特許文献２「透明鉢側面をシート遮光した植木鉢」、特許文献３「二重植木鉢」、特許文献４「遮光カバー付透明植木鉢」は、どれも透明な部分とそうでない部分を持っている。しかし外側の遮光が不完全であるうえ、透明部分は一部でも光が当たると透明部全体に光が透過する現象が起きるため鉢内部に光が射し、根の育成を妨げ苔が発生し観察や水分補給の状況確認がしづらくなる。苔が発生した鉢は洗浄を必要としてしまう。
【課題を解決するための手段】
【００１１】
この発明はこれらの課題を解決するものであって、二重構造の外側を遮光するものとし、内側を透明且つ上部を遮光し透過によって光が鉢内部に侵入することを完全に防ぐことができるという特徴を持つ植木鉢を提供する。
【発明の効果】
【００１２】
この発明は、これら問題点を解決するものであって従来の植木鉢と変わらない機能を持ち、更に鉢の洗浄をほとんど必要とせず視界を長期にわたって良好に保ちながら植物の根の発育、密度、植え替え時期と土の水分蓄積状況を観察することが可能である。そのため栽培の困難な植物も育成を容易にし、学習用研究用としても最適且つデザイン面で高い汎用性がある。上記すべての条件を満たした構造の植木鉢を提供する。
【図面の簡単な説明】
【００１３】
【図１】この発明の実施の形態に係る第１実施例の内鉢と外鉢組み合わせ状態の正面図である。
【図２】この発明の実施の形態に係る第１実施例の内鉢と外鉢組み合わせ状態の斜視図である。
【図３】この発明の実施の形態に係る第１実施例の内鉢の正面図である。
【図４】この発明の実施の形態に係る第１実施例の外鉢の正面図である。
【図５】この発明の実施の形態に係る第１実施例の内鉢と外鉢組み合わせ状態の正面断面図である。
【図６】この発明の実施の形態に係る第２実施例の内鉢と外鉢組み合わせ状態の斜視図である。
【図７】この発明の実施の形態に係る第３実施例の内鉢と外鉢組み合わせ状態の斜視図である。
【図８】この発明の実施の形態に係る第４実施例の内鉢と外鉢組み合わせ状態の斜視図である。
【図９】この発明の実施の形態に係る第５実施例の内鉢と外鉢組み合わせ状態の斜視図である。
【図１０】この発明の実施の形態に係る第６実施例の内鉢と外鉢組み合わせ状態の正面図である。
【図１１】この発明の実施の形態に係る第７実施例の内鉢と外鉢組み合わせ状態の正面図である。
【図１２】この発明の実施の形態に係る第８実施例の内鉢と外鉢組み合わせ状態の正面断面図である。
【図１３】この発明の実施の形態に係る第８実施例の内鉢の一部拡大斜視図である。
【図１４】この発明の実施の形態に係る第９実施例の内鉢と外鉢組み合わせ状態の斜視図である。
【図１５】この発明の実施の形態に係る第１０実施例の内鉢と外鉢分解状態の斜視図である。
【図１６】この発明の実施の形態に係る第１１実施例の内鉢と外鉢分解状態の斜視図である。
【発明を実施するための形態】
【００１４】
第１実施例を図示する図１乃至図５にしたがって、第１実施例について説明する。
１１は植木鉢における内鉢である。２１は外鉢である。ともに、プラスチックス製からなる。この発明では、内側の鉢である内鉢１１と内鉢１１の外側に設置される外側の鉢である外鉢２１の二重構造からなる。
内鉢１１は、図３、図５等に図示されるように、上方を除いて全体は透明な透明部１３からなる。内鉢１１の透明部１３上方には、遮光部１２を開口部から下方の透明部１３に向けて開口部に沿って帯状に設ける。遮光部１２は、遮光する遮光する色もしくは素材にからなる。透明部１３は透明なプラスチック、ガラスからなる。遮光部１２の素材としては、遮光性の顔料を含むプラスチックその他、遮光性素材からなる。使用する塗料としては遮光性を有するものであればよい。
外鉢２１は遮光する色もしくは素材からなる。望ましくは、外鉢２１は完全に遮光する色もしくは素材にからなる。土表面の乾きは内鉢１１上から確認することができる。また、内鉢１１に入れる土が内鉢１１開口部に近く浅いと、内鉢１１上から光が入る可能性がある。
【００１５】
内鉢１１に設ける遮光部１２は、外鉢２１との接点より下まで伸ばす。遮光部１２は、遮光性のものであればどのような模様、色、形にしても良い。
内鉢１１および外鉢２１の形状、色などデザインはどのようなものでも良い。
図６に図示される第２実施例では、内鉢１１の上部から対向して水平に伸ばされる２個の取手付１５が設けられる。第２実施例は、形状は大きいサイズの鉢に最適で、内鉢１１のみ持ち上げる場合も内鉢１１、外鉢２１を同時に持ち上げる場合も持ち上げやすい。
図７に図示される第３実施例では、外鉢２１は、側面略５角形の箱型からなる。箱型の一面は斜めからなり、斜めの面２４に、３個の穴２５が開けられる。穴２５には、それぞれ、遮光部１２を露出させて内鉢１１を挿入する。
【００１６】
図８に図示される第４実施例では、内鉢１１および外鉢２１の外周は、レンガ風とする。第４実施例では、外鉢２１の上部開口部は、煉瓦の形状に従って開口部は凹凸状とする。内鉢１１の下辺は、外鉢２１の開口部と嵌合するように、外鉢２１の凹凸に合わせて凹凸状とする。
【００１７】
図９に図示される第５実施例では、外鉢２１は、立方体型とし、内鉢１１の上辺は立体形の一部を構成する形状とする。
図１４に図示される第９実施例では、内鉢１１、外鉢２１は、ペンキが外側に垂れた状態のペンキ缶型からなる。ペンキが外側に垂れた状態の部分が、内鉢１１の遮光部１２である。ペンキが外側に垂れた状態の部分の下部が、外鉢２１となる。
このように実施例の内鉢１１、外鉢２１のデザインは多岐にわたる。
【００１８】
図１０に図示される第６実施例において、２２は外鉢２１に設ける開閉可能な扉である。遮光性の植木鉢の側面に設けられた、透明な素材からなり内容物が見えるように設けられ、開閉可能な扉２２により開閉される窓を有する。遮光部１２は、完全に遮光する。
第６実施例では、外鉢２１に扉２２のような開閉可能な扉もしくは蓋を設け１１を持ち上げずに中を観察できるようにすることもできる。
【００１９】
図１１に図示される第７実施例では、全体としてカップ状からなる。１５は、取手である。第７実施例では、内鉢１１と外鉢２１の接面が袈裟切り状とされている構造からなる。取手１５を持って、ケース状の外鉢２１にカップ状の内鉢１１を嵌める。
第７実施例では、外鉢２１の開口部２６は、斜めに設けられる。外鉢２１の斜めの開口部２６に合わせて、内鉢１１の遮光部１２は、斜めに設けられる。遮光部１２以外の内鉢１１は、透明部１３とする。
内鉢１１に取手をつけたため、しだれる植物を植えた場合でも内鉢１１を持ち上げやすい。
【００２０】
図１２全体を図１３に内鉢１１の底部の拡大図を図示される第８実施例では、透明部１３に図示されるような内鉢１１の底部に水抜き穴１４を設ける。水抜き穴１４を設けるので、水を外鉢２１に溜め外鉢２１を腰水受けとして使用することができる。Ａは、腰水である。
また、内鉢１１底部の穴には必要に応じて開口できる切り口を設けるか開閉可能にし、使用者の必要に応じて有無の選択をできるようにすると使用の幅が広がる。
【００２１】
図１５に図示される第１０実施例では、内鉢１１は円筒状からなり、側面中央部に楕円形状の透明部１３を設ける。外鉢２１も内鉢１１の外径より内径を大きくした円筒状からなる。外鉢２１にも、側面中央部に楕円形状の透明部分からなる扉２２を設ける。
内鉢１１に外鉢２１を被せ、扉２２を回転させる。回転可能とすることによって遮光、観察ができるようにすると大きいサイズで重量があるものなどにも対応できる。
図１６に図示される第１１実施例では、内鉢１１とは別体からなる遮光カバー２３を内鉢１１に被せる。この場合、内鉢１１は、透明部１２のみからなる。遮光カバーを用いることによって内鉢１１上部を遮光することも可能となる。
【００２２】
これら内鉢１１と外鉢２１とからなる実施例では、従来の植木鉢と変わらない機能を持ち、更に鉢の洗浄をほとんど必要とせず視界を長期にわたって良好に保ちながら植物の根の発育、密度、植え替え時期と土の水分蓄積状況を観察することが可能である。
そのため栽培の困難な植物も育成を容易にし、学習用研究用としても最適且つデザイン面で高い汎用性がある。上記すべての条件を満たした構造の植木鉢を提供する。
【符号の説明】
【００２３】
１１  内鉢
１２  遮光部
１３  透明部
２１  外鉢
２２  扉
【図１】
2019037200.tif 000003
【図２】
2019037200.tif 000004
【図３】
2019037200.tif 000005
【図４】
2019037200.tif 000006
【図５】
2019037200.tif 000007
【図６】
2019037200.tif 000008
【図７】
2019037200.tif 000009
【図８】
2019037200.tif 000010
【図９】
2019037200.tif 000011
【図１０】
2019037200.tif 000012
【図１１】
2019037200.tif 000013
【図１２】
2019037200.tif 000014
【図１３】
2019037200.tif 000015
【図１４】
2019037200.tif 000016
【図１５】
2019037200.tif 000017
【図１６】
2019037200.tif 000018